(57)【要約】      （修正有）【課題】バレエやダンスの練習時における踊り手の姿勢が正しくなるように、また足の動きが正しくなるように導くバレエ及びダンス用の下半身衣類を提供する。【解決手段】足に着用する下半身衣類本体１ａを備え、足の正面中央の上下に伸びる稜線部に位置する下半身衣類本体の位置に、マーキング部１０を有し、マーキング部が、稜線部に伸びる線状であったり、稜線部に断続的に設けられていたり、稜線部で且つ膝に位置する下半身衣類本体の位置に設けられていたりすることを特徴とする。【選択図】図１
0003184711.tif 000002
【実用新案登録請求の範囲】
【請求項１】
バレエやダンスの際に着用するバレエ及びダンス用の下半身衣類において、
足に着用する下半身衣類本体を備え、
該足の正面中央の上下に伸びる稜線部に位置する該下半身衣類本体の位置に、マーキング部を有することを特徴とするバレエ及びダンス用の下半身衣類。
【請求項２】
前記マーキング部が、前記稜線部に伸びる線状であることを特徴とする請求項１記載のバレエ及びダンス用下半身衣類。
【請求項３】
前記マーキング部が、前記稜線部に断続的に設けられていることを特徴とする請求項１記載のバレエ及びダンス用の下半身衣類。
【請求項４】
前記マーキング部が、前記稜線部で且つ膝に位置する前記下半身衣類本体の位置に設けられていることを特徴とする請求項１記載のバレエ及びダンス用の下半身衣類。
【請求項５】
前記マーキング部が、プリント、織り柄、熱転写、縫い付け部品又は接着部品であることを特徴とする請求項１記載のバレエ及びダンス用の下半身衣類。
【考案の詳細な説明】
【技術分野】
【０００１】
本考案は、バレエやダンスの際に着用するバレエ及びダンス用の下半身衣類に関する。
【背景技術】
【０００２】
従来より、バレエやダンスの際に下半身である足に着用する下半身衣類としては、タイツ、ソックス、サポータ、レッグウォーマ等がある。バレエ用タイツとしては、例えば、特許文献１で示されるようなものがある。特許文献１のバレエ用タイツは、上部からウエスト部、パンティ部、脚部からなる。そして、脚部の爪先部がトウ部と目減らし部と目増やし部と袋編部とラベルコース部とからなり、爪先部上面または下面に開口部を設けている。
【先行技術文献】
【特許文献】
【０００３】
【特許文献１】実用新案登録第３１１８２２２号公報
【考案の概要】
【考案が解決しようとする課題】
【０００４】
しかしながら、従来のバレエ用タイツでは、バレエを踊る場合の踊り安さや、踊りの障害にならないような構造が施されているにすぎず、バレエやダンスの練習時における踊り手の姿勢を正す目印や足の正しい動きの目印になるような構造を下半身衣類に施したものはない。
【０００５】
本考案は、このような事情に鑑みてなされたもので、バレエやダンスの練習時における踊り手の姿勢が正しくなるように、また足の動きが正しくなるように導くバレエ及びダンス用の下半身衣類を提供することにある。
【課題を解決するための手段】
【０００６】
請求項１記載のバレエ及びダンス用の下半身衣類は、足に着用する下半身衣類本体を備え、足の正面中央の上下に伸びる稜線部に位置する下半身衣類本体の位置に、マーキング部を有することを特徴とする。
【０００７】
請求項２記載のバレエ及びダンス用の下半身衣類は、マーキング部が、稜線部に伸びる線状であることを特徴とする。
【０００８】
請求項３記載のバレエ及びダンス用の下半身衣類は、マーキング部が、稜線部に断続的に設けられていることを特徴とする。
【０００９】
請求項４記載のバレエ及びダンス用の下半身衣類は、マーキング部が、稜線部で且つ膝に位置する下半身衣類本体の位置に設けられていることを特徴とする。
【００１０】
請求項５記載のバレエ及びダンス用の下半身衣類は、マーキング部が、プリント、織り柄、熱転写、縫い付け部品又は接着部品であることを特徴とする。
【考案の効果】
【００１１】
本願の考案によれば、足に着用する下半身衣類本体を備え、足の正面中央の上下に伸びる稜線部に位置する下半身衣類本体の位置に、マーキング部を有することから、マーキング部を目印に、バレエやダンスの練習時における踊り手の姿勢が正しくなるように、また足の動きが正しくなるように導くことができる。
【図面の簡単な説明】
【００１２】
【図１】本考案に係るバレエ及びダンス用の下半身衣類の第１の実施例を示す説明図である。
【図２】本考案に係るバレエ及びダンス用の下半身衣類の第２の実施例を示す説明図である。
【図３】本考案に係るバレエ及びダンス用の下半身衣類の第３の実施例を示す説明図である。
【図４】本考案に係るバレエ及びダンス用の下半身衣類の第４の実施例を示す説明図である。
【図５】本考案に係るバレエ及びダンス用の下半身衣類の第５の実施例を示す説明図である。
【図６】本考案に係るバレエ及びダンス用の下半身衣類の第６の実施例を示す説明図である。
【図７】本考案に係るバレエ及びダンス用の下半身衣類の第７の実施例を示す説明図である。
【考案を実施するための形態】
【００１３】
本考案におけるバレエ及びダンス用の下半身衣類は、バレエやダンスといった踊りを練習する場合に、下半身（足）に履いて着用するものである。この下半身衣類としては、後述するように、タイツ、ソックス、サポータ、レッグウォーマ等がある。尚、これらはあくまでも例示であり、後述の考案の効果を奏するものであれば、その形態によって限定されるものではない。
【００１４】
そして、本考案におけるバレエ及びダンス用の下半身衣類は、足に着用する下半身衣類本体からなり、装着者が足に履いたときに、足の正面中央の上下に伸びる稜線部に位置する下半身衣類本体の位置に、マーキング部を有している。マーキング部は、下半身衣類本体に対して、プリント、織り柄、熱転写、縫い付け部品又は接着部品等を施したり設けたりすることで形成することができる。尚、これらはあくまでも例示であり、後述の考案の効果を奏するものであれば、その形態によって限定されるものではない。また、タイツ、ソックス等のように、つま先まで覆われるような下半身衣類の場合、足の正面中央の上下に伸びる稜線部がつま先まで伸びているとみなすことができ、マーキング部を必要に応じてつま先まで伸ばすことも可能である。
【００１５】
このような構成のバレエ及びダンス用の下半身衣類によれば、足の正面中央の上下に伸びる稜線部に位置する下半身衣類本体の位置に、マーキング部を有することから、マーキング部を目印に、バレエやダンスの練習時における踊り手の姿勢が正しくなるように、また足の動きが正しくなるように導くことができる。
【００１６】
以下、マーキング部を含む本考案の形態について具体的な実施例を、図面を参照しながら説明する。形態の具体例について、以下で説明する。
【実施例１】
【００１７】
図１は、本考案に係るバレエ及びダンス用の下半身衣類の第１の実施例を示す説明図である。図１における実施例１のバレエ及びダンス用の下半身衣類１は、タイツである。そして、タイツ状の下半身衣類本体１ａを装着者が足に履いたときに、足の正面中央の上下に伸びる稜線部に位置する下半身衣類本体１ａの位置に、マーキング部１０を有している。マーキング部１０は、稜線部に伸びる線状である。すなわち、図１に示すように、装着者が下半身衣類１を着用した状態で、マーキング部１０が、足の正面中央の上下に伸びる稜線部に位置することになる。そして、マーキング部１０は、つま先（足の人差し指方向）にまで伸びている。
【００１８】
マーキング部１０が、稜線部に伸びる線状であることから、脚線が明確になり、装着者である踊り手が、より足の向きや姿勢を意識することになり、バレエやダンスの練習時における踊り手の姿勢が正しくなるように、また足の動きが正しくなるように導くことができる。特に、マーキング部１０がつま先まで伸びることで、足先まで意識することができるようになる。
【実施例２】
【００１９】
図２は、本考案に係るバレエ及びダンス用の下半身衣類の第２の実施例を示す説明図である。図２における実施例２のバレエ及びダンス用の下半身衣類２は、実施例１と同様にタイツである。そして、図２（ａ）に示すように、タイツ状の下半身衣類本体２ａを装着者が足に履いたときに、足の正面中央の上下に伸びる稜線部２ｂの位置で且つ膝の位置にマーキング部１２を有している。すなわち、図２（ｂ）に示すように、装着者が下半身衣類２を着用した状態で、マーキング部１２が、膝の足の正面中央の上下に伸びる稜線部２ｂに位置することになる。
【００２０】
マーキング部１２が膝にあることで、踊りの核となる膝の位置が明確になり、装着者である踊り手が、より足の向きや姿勢を意識することになり、バレエやダンスの練習時における踊り手の姿勢が正しくなるように、また足の動きが正しくなるように導くことができる。
【実施例３】
【００２１】
図３は、本考案に係るバレエ及びダンス用の下半身衣類の第３の実施例を示す説明図である。図３における実施例３のバレエ及びダンス用の下半身衣類３は、タイツである。そして、タイツ状の下半身衣類本体３ａを装着者が足に履いたときに、足の正面中央の上下に伸びる稜線部に位置する下半身衣類本体３ａの位置に、マーキング部１４が断続的に設けられている。図３に示す下半身衣類３では、マーキング部１４がドット模様になっているが、稜線部に点線のように設けられてもよい。すなわち、図３に示すように、装着者が下半身衣類３を着用した状態で、マーキング部１４が、足の正面中央の上下に伸びる稜線部に断続的に位置することになる。
【実施例４】
【００２２】
図４は、本考案に係るバレエ及びダンス用の下半身衣類の第４の実施例を示す説明図である。図４における実施例４のバレエ及びダンス用の下半身衣類４は、タイツである。そして、タイツ状の下半身衣類本体４ａを装着者が足に履いたときに、足の正面中央の上下に伸びる稜線部に位置する下半身衣類本体４ａの位置に、マーキング部１６が断続的に設けられている。図４に示す下半身衣類４では、マーキング部１６がリボン状を取り付けた構成になっている。すなわち、図４に示すように、装着者が下半身衣類４を着用した状態で、マーキング部１６が、足の正面中央の上下に伸びる稜線部に断続的に位置することになる。
【実施例５】
【００２３】
図５は、本考案に係るバレエ及びダンス用の下半身衣類の第５の実施例を示す説明図である。図５における実施例５のバレエ及びダンス用の下半身衣類５は、ハイソックスである。そして、ハイソックス状の下半身衣類本体５ａを装着者が足に履いたときに、足の正面中央の上下に伸びる稜線部に位置する下半身衣類本体５ａの位置に、マーキング部１８を有している。マーキング部１８は、稜線部に伸びる線状である。すなわち、図５に示すように、装着者が下半身衣類５を着用した状態で、マーキング部１８が、足の正面中央の上下に伸びる稜線部に位置することになる。
【実施例６】
【００２４】
図６は、本考案に係るバレエ及びダンス用の下半身衣類の第６の実施例を示す説明図である。図６における実施例６のバレエ及びダンス用の下半身衣類６は、毛糸製ソックスである。そして、ソックス状の下半身衣類本体６ａを装着者が足に履いたときに、足の正面中央の上下に伸びる稜線部に位置する下半身衣類本体６ａの位置に、マーキング部２０を有している。マーキング部２０は、稜線部に伸びる線状である。すなわち、図６に示すように、装着者が下半身衣類６を着用した状態で、マーキング部２０が、足の正面中央の上下に伸びる稜線部に位置することになる。
【００２５】
尚、本実施例の下半身衣類６は、毛糸製ソックスで、装着者が着用した状態で、表面に大きな凹凸が生じるが、足の稜線部のおおよその位置にマーキング部２０が来るように装着できればよく、他の実施例でも共通であるが、マーキング部の位置は、足の稜線部のおおよその位置であればよい。
【実施例７】
【００２６】
図７は、本考案に係るバレエ及びダンス用の下半身衣類の第７の実施例を示す説明図である。図７における実施例７のバレエ及びダンス用の下半身衣類７は、膝当てである。そして、下半身衣類本体７ａを装着者が足に履いたときに、足の正面中央の上下に伸びる稜線部の位置で且つ膝の位置にマーキング部２２を有している。すなわち、装着者が下半身衣類７を着用した状態で、マーキング部２２が、膝の足の正面中央の上下に伸びる稜線部に位置することになる。
【産業上の利用可能性】
【００２７】
本考案により、バレエやダンスの練習時における踊り手の姿勢が正しくなるように、また足の動きが正しくなるように導くバレエ及びダンス用の下半身衣類をを提供することができる。
【符号の説明】
【００２８】
１〜７・・・・・下半身衣類
１ａ〜７ａ・・・下半身衣類本体
２ｂ・・・・・・稜線部
１０〜２２・・・マーキング部
【図１】
0003184711.tif 000003
【図２】
0003184711.tif 000004
【図３】
0003184711.tif 000005
【図４】
0003184711.tif 000006
【図５】
0003184711.tif 000007
【図６】
0003184711.tif 000008
【図７】
0003184711.tif 000009